(57)【特許請求の範囲】
【請求項１】
商品を展示する展示台であって、
鉛直方向から傾斜して配置された表示装置と、
前記表示装置の表示面を覆うカバーと、
前記カバーと一体に形成され、前記表示面上において前記カバーの前面に設けられた、前記商品を保持する保持部と、
を具備し、
前記カバーおよび前記保持部は前記表示装置の表示が視認可能な透明性を有することを特徴とする展示台。
【請求項２】
前記表示装置の外周に沿って配置され、側面の一辺が展示台の設置面と接する枠体と、
前記表示装置の後方に設置され、三角形状の側面を有し、側面の一辺が前記設置面と接する後壁部と、
を更に具備することを特徴とする請求項１に記載の展示台。
【請求項３】
前記表示装置は、表示部と前記表示部に積層された感圧部とを備える感圧式のタッチパネルであることを特徴とする請求項１または請求項２に記載の展示台。
【請求項４】
前記カバーはアクリル樹脂またはスチレン樹脂で形成されることを特徴とする請求項１から請求項３のいずれか１項に記載の展示台。
【請求項５】
前記カバーはアクリル樹脂で形成され、前記アクリル樹脂は、アクリル酸ｎ−ブチル重合体ブロックが結合した構造のトリブロック共重合体を含むアクリル系熱可塑性エラストマーであることを特徴とする請求項１から請求項４のいずれか１項に記載の展示台。
【請求項６】
前記展示台はネットワークを介して情報処理装置と接続し、
前記表示装置は、前記情報処理装置から受信したデータを表示することを特徴とする請求項１から請求項５のいずれか１項に記載の展示台。
【請求項７】
表示装置を具備する展示台と、前記展示台とネットワークを介して接続する情報処理装置とにより構成される商品展示システムであって、
前記展示台の前記表示装置は、鉛直方向から傾斜して配置され、前記情報処理装置から受信したデータを表示し、
前記展示台は、
前記表示装置の表示面を覆うカバーと、
前記カバーと一体に形成され、前記表示面上において前記カバーの前面に設けられた、前記商品を保持する保持部と、
を更に具備し、
前記カバーおよび前記保持部は前記表示装置の表示が視認可能な透明性を有することを特徴とする商品展示システム。
【請求項８】
前記展示台は、
前記表示装置の外周に沿って配置され、側面の一辺が展示台の設置面と接する枠体と、
前記表示装置の後方に配置され、三角形状の側面を有し、側面の一辺が前記設置面と接する後壁部と、
を更に具備することを特徴とする請求項７記載の商品展示システム。
【発明の詳細な説明】
【技術分野】
【０００１】
本発明は展示台および商品展示システムに関する。
【背景技術】
【０００２】
量販店や展示会などで商品を展示する際には展示台が使用されることが多い。このような展示台は商品を展示するとともに、商品の訴求力を高めることが望ましく、様々なデザインが施される。商品の訴求力を高める工夫の例として、光源を収容した基台を備え、基台の表側に透光性を有する基板を備えると共に、基板の表側に滑り止めを備えた展示台の例が特許文献１に示されている。
【先行技術文献】
【特許文献】
【０００３】
【特許文献１】特開２００６−３４８３９号公報
【発明の概要】
【発明が解決しようとする課題】
【０００４】
現在、展示台がもたらす商品の訴求性をより高めるために、更なる工夫が望まれている。一方、展示台は展示する商品ごとに商品メーカーから供給されることが多いという事情があり、このとき各商品で展示台のデザインが異なる。このため、量販店や展示会などで各メーカーの商品を展示台にのせて陳列すると、全体として雑然とした印象を与えることも問題である。加えて、商品の変更に伴う展示台の設置、回収、廃棄など手間がかかるという問題もある。
【０００５】
本発明は、前述した問題点に鑑みてなされたもので、展示する商品の訴求力を高めつつ、商品の陳列の際、整然とした印象を与えることができ、加えて設置、回収、廃棄などの手間がかからない展示台等を提供することを目的とする。
【課題を解決するための手段】
【０００６】
前述した目的を達するために第１の発明は、商品を展示する展示台であって、鉛直方向から傾斜して配置された表示装置と、前記表示装置の表示面を覆うカバーと、前記カバーと一体に形成され、前記表示面上において前記カバーの前面に設けられた、前記商品を保持する保持部と、を具備し、前記カバーおよび前記保持部は前記表示装置の表示が視認可能な透明性を有することを特徴とする展示台である。
【０００７】
第１の発明の展示台は、前記表示装置の外周に沿って配置され、側面の一辺が展示台の設置面と接する枠体と、前記表示装置の後方に設置され、三角形状の側面を有し、側面の一辺が前記設置面と接する後壁部と、を更に具備することが望ましい。また、前記表示装置は、表示部と前記表示部に積層された感圧部とを備える感圧式のタッチパネルであってよい。前記カバーはアクリル樹脂またはスチレン樹脂で形成される。また、前記カバーはアクリル樹脂で形成され、前記アクリル樹脂は、アクリル酸ｎ−ブチル重合体ブロックの両末端にメタクリル酸メチル重合体ブロックが結合した構造のトリブロック共重合体を含むアクリル系熱可塑性エラストマーであることが望ましい。
【０００８】
また、前記展示台はネットワークを介して情報処理装置と接続し、前記表示装置は、前記情報処理装置から受信したデータを表示する。
【０００９】
上記構成により、展示台の表示装置に広告用の映像や画像、商品情報や価格情報等のデータを表示させ、ユーザにこれを視認させることができる。また、表示装置をタッチパネルとし、ユーザ操作に応じた表示を行うことも可能である。タッチパネルの表示面を覆うカバーは、適切な素材の選択により、透明性を有し、タッチパネル操作のためタッチパネルの感圧部を押圧可能であるとともに、押圧時には適度な抵抗感があることにより適度な操作感が得られるものとする。さらにネットワークを介して展示台に表示させるデータを配信し、展示する商品別に鮮度の高い表示を行うことができる。以上より、展示する商品の訴求力を高めることができる。また、展示台の特別なデザインに頼らずに商品の訴求力を高めるので、展示する商品に関わらず、展示台を同じデザインのもので統一することができる。これにより、商品の陳列の際、整然とした印象を与えるとともに、展示台を異なる商品に再利用することが可能となるので、商品の変更に伴う展示台の設置、回収、廃棄などにかかる手間を抑えることができる。
【００１０】
前述した目的を達するために第２の発明は、表示装置を具備する展示台と、前記展示台とネットワークを介して接続する情報処理装置とにより構成される商品展示システムであって、前記展示台の前記表示装置は、鉛直方向から傾斜して配置され、前記情報処理装置から受信したデータを表示し、前記展示台は、前記表示装置の表示面を覆うカバーと、前記カバーと一体に形成され、前記表示面上において前記カバーの前面に設けられた、前記商品を保持する保持部と、を更に具備し、前記カバーおよび前記保持部は前記表示装置の表示が視認可能な透明性を有することを特徴とする商品展示システムである。
【発明の効果】
【００１１】
本発明により、展示する商品の訴求力を高めつつ、商品の陳列の際、整然とした印象を与えることができ、加えて設置、回収、廃棄などの手間がかからない展示台等を提供することができる。
【図面の簡単な説明】
【００１２】
【図１】本発明の展示台の実施形態を示す斜視図
【図２】本発明の展示台の実施形態を示す分解図
【図３】本発明の展示台の実施形態の部分断面図
【図４】本発明の展示台の実施形態のハードウェア構成図
【図５】保持部の例を示す斜視図
【図６】展示台の例を示す斜視図
【図７】本発明の商品展示システムの実施形態を示す図
【図８】情報処理装置のハードウェア構成図
【図９】映像データが配信され、展示台で表示される流れを示す流れ図
【発明を実施するための形態】
【００１３】
以下、図面を参照しながら、本発明の展示台等の実施形態について説明する。
まず、図１、図２、図３、図４を参照して、本実施形態の展示台について説明する。図１は、本発明の展示台の実施形態を示す斜視図である。図２は、本発明の展示台の実施形態を示す分解図である。図３は、本発明の展示台の実施形態の図２のＡ−Ａ’における部分断面図である。図４は、本発明の展示台の実施形態のハードウェア構成図である。
【００１４】
図１、図２に示すように、本実施形態の展示台１は、タッチパネル３、枠部５、カバー７、後壁部８、保持部９を具備する。タッチパネル３は、図３に示すように表示部１１と感圧部１３を備える。また、展示台１は、図４に示すように、制御部１５、記憶部１６、通信部１７を更に具備する。表示部１１、感圧部１３、制御部１５、記憶部１６、通信部１７はバス２０を介して接続する。
【００１５】
展示台１の中央部には、入力可能な表示装置であるタッチパネル３が配置される。タッチパネル３は感圧式のもので、前述したように表示部１１と感圧部１３を備える。図３に示すように、感圧部１３は表示部１１の前方に積層するように配置される。ここで、前方とは展示台１のタッチパネル３（表示装置）の表示面の表示方向のことをいい、図３及び図１、図２等では略左方向にあたる。なお後方とはその逆の方向を指す。表示部１１は液晶ディスプレイなどの平面ディスプレイであり、図１に示すような展示台１に関する操作を行うための仮想キー１２と、広告用の映像や画像、商品情報や価格情報のデータ等を前方に表示することができる。感圧部１３は２つの透明電極が前後方向に空隙をあけて対向して配置されたものである。前方の透明電極が後方に押圧されることで２つの電極が接触して通電し、展示台１に設けられた制御部１５により押圧（通電）位置の検出が行われる。表示部１１に表示される画面は、透明な感圧部１３を通して外部から認識可能である。
【００１６】
枠部５はタッチパネル３の外周に沿って配置される。枠部５の側面は、一辺が展示台１の設置面と接するくの字状の形状を有する。後壁部８はタッチパネル３の表示部１１の後方に配置され、展示台１を後方から支持する。後壁部８の側面は、一辺が展示台１の設置面と接する三角形状の形状を有する。
【００１７】
カバー７はタッチパネル３の前方に積層するように配置される。即ち、タッチパネル３の表示面がカバー７で覆われる。カバー７の前面には商品１０を保持するための保持部９が接続する。保持部９の前面は凹字状の形状を有する。カバー７及び保持部９は一体として形成される。カバー７（及び保持部９）は後方のタッチパネル３の表示部１１の表示が視認可能な透明性と、タッチパネル３の操作のため感圧部１３を押圧可能であるとともに、押圧時には適度な抵抗感があることにより適度な操作感が得られる硬さを有する。カバー７（及び保持部９）は、アクリル樹脂やスチレン樹脂を素材として射出成型して形成される。より好ましくは、アクリル樹脂のうち、アクリル酸ｎ−ブチル重合体ブロックの両末端にメタクリル酸メチル重合体ブロックが結合した構造のトリブロック共重合体からなるアクリル系熱可塑性エラストマーを素材として形成されればよい。より具体的には、例えばアクリル樹脂のうち前記のアクリル系熱可塑性エラストマーとして、株式会社クラレのＬＡポリマー等を用いることができる。特に、ＬＡポリマーの１つであるＬＡＢ−７３０やＬＡ４２８５を好適に用いることができる。また、例えば前記のスチレン樹脂として、スチレン・ブタジエンブロックコポリマーである旭化成ケミカルズ株式会社のアサフレックス（登録商標）等を用いることができる。
カバー７は、これを介して表示部１１を視認可能であるとともに、感圧部１３を押圧しタッチパネル３の操作を行うものである。類似の役割のものとして操作を行うためのボタンを考える場合、このようなボタンには塩ビ材やウレタンが使用されることが多い。しかし、塩ビ材では経年劣化による黄化により透明度が低下し、ウレタンでは柔らかすぎるという欠点がある。これに代えて上記のようにアクリル樹脂やスチレン樹脂を素材として用いることで、塩ビ材のように黄化により透明度が低下することがなく、感圧部１３を押圧可能であるとともに、ウレタンのように柔らかすぎず押圧時には適度な操作感が得られるカバー７（及び保持部９）が形成できる。
【００１８】
しかしながら、保持部９はカバー７と一体として形成されなくてもよく、保持部９をカバー７と別の素材で形成することもできる。この場合、保持部９を形成する素材は上記のものに限られることはない。また、本実施形態では保持部９は前面が凹字状の形状を有するが、その形状は商品を保持できるものであればよく、商品に応じて様々に定めることができる。例えば図５に示すように保持部９をカバー７に突接した板材とし、当該板材の上に商品を設置し保持させることもできる。さらに、カバー７を省略し保持部９が直接タッチパネル３の感圧部１３に接続する構成とすることもできる。
【００１９】
制御部１５は、ＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｍｄｏｍ  Ａｃｃｅｓｓ  Ｍｅｍｏｒｙ）からなる。制御部１５のＣＰＵは、ＲＯＭや記憶部１６に記憶されたプログラムやデータ、通信部１７を介して受信したデータ等をＲＡＭに読み出して、展示台１に関する各種の処理を実行する。
【００２０】
記憶部１６は、例えばフラッシュメモリであり、広告用の映像や画像、商品情報や価格情報等のデータを記憶することができる。
【００２１】
通信部１７は、通信制御装置、通信ポート等を有し、ネットワーク１９に接続して各種データの送受信を行う。バス２０は、各装置間の制御信号やデータ信号等の授受を媒介する経路である。
【００２２】
展示台１の表示装置は本実施形態のタッチパネル３に限らず様々に考えられる。例えば、図６（ａ）に示すように、展示台１の中央部に設ける表示装置として、タッチパネル３の代わりにモニタ４を用いてもよい。この場合、タッチパネル３により展示台１が有していた操作入力機能が省略されるが、展示台１の製作コストを抑えることができる。なお、このように表示装置としてタッチパネルでなくモニタ等を用いた場合、タッチパネルの押圧による操作入力を行わないので、当該モニタ等を覆うカバー７を形成する素材は、前述した硬さの素材に限られることはない。
【００２３】
また、図６（ｂ）に示すように、展示台１の中央部にモニタ４を用いるとともに、展示台１の下部に操作入力を行う入力部６を設けてもよい。入力部６としては、例えば図１のタッチパネル３と同様表示部と感圧部を備え、表示部に操作のための仮想キー１４等を表示する感圧式のタッチパネルを用いることができる。しかしながら、これに限らずデジタルペン等他の入力装置を用いてもよい。
【００２４】
なお、表示装置を備え商品を保持することが可能な限りにおいて展示台１に係る形状等も本実施形態に限られることはなく、例えば枠部５を省略することも可能である。
【００２５】
次に、図７、図８、図９を用いて、本発明の商品展示システムの実施形態について説明する。図７は本発明の商品展示システムの実施形態を示す図である。図８は、情報処理装置のハードウェア構成図である。図９は、映像データを配信する流れを示す流れ図である。
【００２６】
図７に示すように、本実施形態の商品展示システム２２は、商品１０ａ、１０ｂ、１０ｃ、…がそれぞれ展示され陳列される前述の展示台１がネットワーク１９を介して情報処理装置２１と接続し構成される。なお、ネットワーク１９は有線、無線いずれの形式で構成されていてもよい。
【００２７】
図８に示すように、情報処理装置２１は、制御部２３、表示部２５、通信部２７、記憶部２９、入力部３１、出力部３３等を有する。これらはバス３５で接続される。
【００２８】
制御部２３は、ＣＰＵ、ＲＡＭ、ＲＯＭからなる。制御部２３のＣＰＵは、ＲＯＭや記憶部２９に保存されたデータやプログラム等をＲＡＭに読み出して、情報処理装置２１に関する各種の処理を実行する。表示部２５は液晶モニタ、ＣＲＴモニタなどのディスプレイ装置である。通信部２７は通信制御装置、通信ポート等を有し、ネットワーク１９に接続して各種データの送受信を行う。記憶部２９はハードディスク等からなり、各種のデータやプログラムを記憶する。入力部３１はキーボードやマウス、スキャナやドライブ装置、その他デジタルペンなど、情報処理装置２１へデータ入力を行うための周辺装置である。出力部３３はプリンタやドライブ装置など、情報処理装置２１からのデータ出力を行うための周辺装置である。バス３５は各装置間の制御信号やデータ信号等の授受を媒介する経路である。
【００２９】
情報処理装置２１の記憶部２９は、展示台１の表示部１１に表示させる広告用の映像や画像、商品情報や価格情報のデータ等を記憶することができる。特に本実施形態では、個々の商品１０ａ、１０ｂ、１０ｃ、…のイメージに合った映像データが、商品１０ａ、１０ｂ、１０ｃ、…をそれぞれ展示する個々の展示台１を識別する識別情報と紐付いて記憶部２９に予め記憶されている。例えば、商品１０ａのイメージに合った複数（一でも可）の映像データが、商品１０ａを展示する展示台１の識別情報と紐付いて記憶部２９に記憶されている。
【００３０】
図９を用いて、商品展示システム２２において映像データが情報処理装置２１より展示台１に配信され、展示台１で表示される流れを説明する。
【００３１】
まず、ユーザは、展示台１のタッチパネル３の感圧部１３で、表示部１１に表示された所定の仮想キーに対応する位置を押圧し、展示台１の表示部１１に表示させる広告用の映像データを選択する（ステップ１０１）。所定の仮想キーとは、展示台１で表示させる映像データに対応する仮想キーである。仮想キーの形態等は様々に考えられるが、簡単には、図１の仮想キー１２で示すような個々の映像データに対応する番号とすることができる。なお、ここでユーザが選択できる映像データは展示台１に展示する商品のイメージにあったものであり、上述のように、展示台１の識別情報と紐付いて情報処理装置２１の記憶部２９に記憶されたものである。
【００３２】
展示台１の制御部１５は、感圧部１３で押圧された位置を検出し、それが表示部１１に表示した所定の仮想キーの位置に対応することに伴って、当該仮想キーに対応する映像データ、即ちユーザが選択した映像データを配信させる配信要求をネットワーク１９を介して情報処理装置２１に送信する（ステップ１０２）。配信要求は、ユーザが選択した映像データを指定する映像データ情報と、展示台１の識別情報を少なくとも含む。
【００３３】
情報処理装置２１の制御部２３は、配信要求を受信する（ステップ１０３）。続いて、記憶部２９に予め記憶された映像データのうち、配信要求に含まれる映像データ情報と展示台１の識別情報に対応する映像データを展示台１に配信する（ステップ１０４）。即ち、展示台１の識別情報に紐付いて記憶部２９に記憶されている映像データから、映像データ情報に該当するものを展示台１に配信する。
【００３４】
展示台１の制御部１５は、情報処理装置２１から映像データを受信し（ステップ１０５）、当該映像データを表示部１１に表示する（ステップ１０６）。
【００３５】
以上のように商品展示システム２２において映像データが情報処理装置２１より各展示台１に配信され、各展示台１で表示される。なお、上記の例は展示台１で表示する映像データをユーザ操作により選択する例だが、これに限らず、情報処理装置２１が、予め定めたタイミングでもしくは管理者の情報処理装置２１の操作に応じて、展示台１で表示する映像データを展示台１に配信するようにしてもよい。この場合、情報処理装置２１の制御部２３は、予め定めたもしくは管理者が選択した、展示する商品に応じた映像データを展示台１に配信する（図９のステップ１０４）。展示台１の制御部１５は、情報処理装置２１から当該映像データを受信して表示部１１に表示する（図９のステップ１０５、１０６）。
【００３６】
上述の映像データは各展示台１に展示する商品１０ａ、１０ｂ、１０ｃ、…の全てあるいは一部で共通のものであってもよい。また、展示台１で表示させるデータは映像データに限らず画像データでもよく、他にも商品情報や価格情報のデータであってもよい。これらの場合についても、上記と同様に、情報処理装置２１の制御部２３は、ユーザ操作に伴う配信要求に応じて（図９のステップ１０１〜１０３）、または予め定めたタイミングでもしくは管理者の情報処理装置２１の操作に応じて、展示する商品に応じたデータを展示台１に配信する（図９のステップ１０４）。展示台１の制御部１５は、情報処理装置２１から当該データを受信して表示部１１に表示する（図９のステップ１０５、１０６）。さらに、各展示台１は、展示台１に入力されたデータをネットワーク１９を介して情報処理装置２１等に送信したり、別の展示台１に表示させたりすることも可能である。
【００３７】
また、上述した広告用の映像、画像、商品情報、価格情報等のデータは各展示台１の記憶部１６に予め記憶されるものであってもよい。これらのデータは、タッチパネル３やデジタルペンなどの入力装置を用いてその場で入力し、記憶部１６に記憶させることもできる。このとき、各展示台１がネットワーク１９を介して情報処理装置２１に接続せず、スタンドアローンとなる構成とすることもできる。この際、展示台１の制御部１５は、タッチパネル３等を用いたユーザ操作により選択された映像データ等を表示部１１に表示することができる。
【００３８】
以上説明したように、本実施形態の展示台１では、表示装置としてのタッチパネル３の表示面がカバー７で覆われ、商品を保持する保持部９がカバー７に接続する。カバー７（及び保持部９）は後方のタッチパネル３の表示部１１の表示が視認可能な透明性と、タッチパネル３の感圧部１３を押圧可能であるとともに、押圧時には適度な操作感が得られる硬さを有する。カバー７（及び保持部９）はアクリル樹脂やスチレン樹脂、好ましくはアクリル樹脂のうち、アクリル酸ｎ−ブチル重合体ブロックの両末端にメタクリル酸メチル重合体ブロックが結合した構造のトリブロック共重合体からなるアクリル系熱可塑性エラストマーを素材として形成される。展示台１はネットワーク１９を介して情報処理装置２１と接続し、タッチパネル３を用いたユーザ操作その他に応じて情報処理装置２１から配信された広告用の映像や画像、商品情報や価格情報等のデータを受信してタッチパネル３の表示部１１に表示する。各展示台に配信するデータを展示する個々の商品に応じたものとし、各展示台に鮮度の高いデータを配信し、表示させることができる。以上より、展示台が展示する商品の訴求力を高めることができる。また、展示台の特別なデザインに頼らずに商品の訴求力を高めるので、展示する商品に関わらず、展示台を同じデザインのもので統一することができる。これにより、商品の陳列の際、整然とした印象を与えるとともに、展示台を異なる商品に再利用することが可能となるので、商品の変更に伴う展示台の設置、回収、廃棄などにかかる手間を抑えることができる。
【００３９】
以上、添付図面を参照しながら、本発明に係る展示台等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００４０】
１………展示台
３………タッチパネル
４………モニタ
７………カバー
９………保持部
１０、１０ａ、１０ｂ、１０ｃ………商品
１１………表示部
１３………感圧部
１９………ネットワーク
２１………情報処理装置
２２………商品展示システム
【図１】
0005532701.tif 000002
【図２】
0005532701.tif 000003
【図３】
0005532701.tif 000004
【図４】
0005532701.tif 000005
【図５】
0005532701.tif 000006
【図６】
0005532701.tif 000007
【図７】
0005532701.tif 000008
【図８】
0005532701.tif 000009
【図９】
0005532701.tif 000010